(57)【要約】【課題】ユーザに、発信操作の手順を促すと同時に、発信操作にゲーム感覚の面白みを付加することが出来る携帯電話機およびキーバックライト制御方法を提供する。【解決手段】電話番号に関する情報を保持するデータベースと、それぞれのキーに対して独立制御可能なキーバックライトを有し、電話番号入力後に、前記データベースから有効桁数を認識し、発信操作するための開始キーの前記キーバックライトを点灯し、前記キーバックライトが既に点灯している場合は、他のキーとは異なる色で点灯する。【選択図】図１
2010050823.tif 000002
【特許請求の範囲】
【請求項１】
電話番号に関する情報を保持するデータベースと、
それぞれのキーに対して独立制御可能なキーバックライトを有し、
電話番号入力後に、前記データベースから有効桁数を認識し、発信操作するための開始キーの前記キーバックライトを点灯し、前記キーバックライトが既に点灯している場合は、他のキーとは異なる色で点灯することを特徴とする携帯電話機。
【請求項２】
メインディスプレイに表示したＭＥＮＵ項目の字の色と、ＭＥＮＵ項目の選択に対応するキーのバックライトの色を合わせて点灯することを特徴とする請求項１に記載の携帯電話機。
【請求項３】
前記キーバックライトは、点灯色、輝度、点灯タイミングを独立に制御可能であることを特徴とする請求項２に記載の携帯電話機。
【請求項４】
前記キーバックライトは、複数の色が発光可能となるようにＲＧＢ化がされていることを特徴とする請求項３に記載の携帯電話機。
【請求項５】
前記データベースに保持されている電話番号の種類によって、適した点灯タイミングで点灯することを特徴とする請求項４に記載の携帯電話機。
【請求項６】
電話番号に関する情報を保持するデータベースと、
それぞれのキーに対して独立制御可能なキーバックライトとを有して行うキーバックライト制御方法であって、
電話番号入力後に、前記データベースから有効桁数を認識し、発信操作するための開始キーの前記キーバックライトを点灯し、前記キーバックライトが既に点灯している場合は、他のキーとは異なる色で点灯することを特徴とするキーバックライト制御方法。
【請求項７】
メインディスプレイに表示したＭＥＮＵ項目の字の色と、ＭＥＮＵ項目の選択に対応するキーのバックライトの色を合わせて点灯することを特徴とする請求項６に記載のキーバックライト制御方法。
【請求項８】
前記キーバックライトは、点灯色、輝度、点灯タイミングを独立に制御可能であることを特徴とする請求項７に記載のキーバックライト制御方法。
【請求項９】
前記キーバックライトは、複数の色が発光可能となるようにＲＧＢ化がされていることを特徴とする請求項８に記載のキーバックライト制御方法。
【請求項１０】
前記データベースに保持されている電話番号の種類によって、適した点灯タイミングで点灯することを特徴とする請求項９に記載のキーバックライト制御方法。
【発明の詳細な説明】
【技術分野】
【０００１】
本発明は、独立制御可能なキーバックライトを搭載した携帯電話機およびキーバックライト制御方法に関する。
【背景技術】
【０００２】
携帯電話の高性能化に伴い、様々な機能が搭載される一方で、筺体デザイン、画像、メロディなどユーザの嗜好に合わせたデザインや機能も近年必要とされている。
【０００３】
一方で、光を用いた機能の提供は、着信用ＬＥＤや、筺体外側に配置されるＬＥＤなどに限られ、キー用の照明として実装されるキーバックライトについては、キー全面、または、その一部を単色で点灯するに留まっていた。
【０００４】
上記に関連する技術を次に開示する。
【０００５】
特許文献１は、予めメモリ部に登録してある電話番号に発信するとき、登録名称の文字を順次テンキー部に入力して電話番号の検索を行い、このとき、システム制御部が最初の文字ａ１を検出し、ａ１で始まる全ての登録名称のグループｇ１をメモリ部より検索し、これらのグループｇ１を最新の通話日時から順にディスプレイ部に表示させ、グループｇ１の登録名称の２番目の文字ａ２に対応する、テンキー部上における全てのキーをキー照明部によって点滅させ、点滅しているキーのうち所望のキーを押すと、文字ａ１ａ２で始まる登録名称が最新の通話日時の順にディスプレイ部に表示され、同時に、選択すべき文字に対応する、テンキー部の全てのキーが点滅することが開示されている。
これによって、電話番号の検索時にテンキー部へ登録名称の文字を入力するとき、選択すべきキーと押す必要のないキーとを一目で区別できるようにする。
【０００６】
特許文献２は、操作信号もしくはデータを入力するための操作キーと、前記操作キーの操作シーケンスプログラムが記憶された記憶手段と、最初の操作キーが操作された場合に、次に操作すべき操作キーを前記操作シーケンスプログラムに従って順に前記操作キーを点灯、点滅または色変化若しくは光度変化させることにより、次に操作すべき操作キーを光でガイドする操作ガイド手段とを具備することが開示されている。これによって、不慣れな者でも簡単にキー操作できる。
【特許文献１】特開２０００−０６９１４２号公報
【特許文献２】特開２００５−３４８１８４号公報
【発明の開示】
【発明が解決しようとする課題】
【０００７】
しかし、携帯電話機のデザインによって、開始キーの配置や開始キーの印刷文字は異なっており、携帯電話機を使い慣れていないユーザにとっては、開始キーを探す必要があり、発信操作が難しい問題があった。また、発信操作時に、面白みが無かった。
【０００８】
特許文献１では、登録済みの電話番号を検索するとき、入力候補となり得るキーの照明を点滅させることが記載されているが、電話番号入力後に発信を開始する開始キーのバックライトのみを点灯すること、キーバックライトが既に点灯している場合は、他のキーのバックライトとは違う色で点灯することに関しては、記載されていなく、これによる示唆もされていない。
【０００９】
特許文献２では、電話番号からその番号の種類を判定し、必要な桁数が全部入力し終わるまでテンキーを点灯もしくは点滅させ続け、入力が終了するとテンキーが全て消灯して発信キーを点灯もしくは点滅することが記載されているが、電話番号入力後に発信を開始する開始キーのバックライトのみを点灯すること、キーバックライトが既に点灯している場合は、他のキーのバックライトとは違う色で点灯することに関しては、記載されていなく、これによる示唆もされていない。
【００１０】
本発明では、独立制御が可能なキーバックライトを有し、電話番号入力後に発信を開始する開始キーのバックライトのみを点灯することと、他のキーのバックライトとは違う色で点灯する携帯電話機およびキーバックライト制御方法を提供することを目的とする。
【課題を解決するための手段】
【００１１】
上記の目的を達成するため、本発明にかかる第１の携帯電話機は、電話番号に関する情報を保持するデータベースと、それぞれのキーに対して独立制御可能なキーバックライトを有し、電話番号入力後に、前記データベースから有効桁数を認識し、発信操作するための開始キーの前記キーバックライトを点灯し、前記キーバックライトが既に点灯している場合は、他のキーとは異なる色で点灯することを特徴とする。
【００１２】
本発明にかかる第１のキーバックライト制御方法は、電話番号に関する情報を保持するデータベースと、それぞれのキーに対して独立制御可能なキーバックライトとを有して行うキーバックライト制御方法であって、電話番号入力後に、前記データベースから有効桁数を認識し、発信操作するための開始キーの前記キーバックライトを点灯し、前記キーバックライトが既に点灯している場合は、他のキーとは異なる色で点灯することを特徴とする。
【発明の効果】
【００１３】
本発明によれば、独立制御が可能なキーバックライトを有し、電話番号入力後に発信を開始する開始キーのバックライトのみを点灯することと、他のキーのバックライトとは違う色で点灯することでユーザに、発信操作の手順を促すと同時に、発信操作にゲーム感覚の面白みを付加することが出来る携帯電話機およびキーバックライト制御方法を提供することを可能とする。
【発明を実施するための最良の形態】
【００１４】
本発明では、キーバックライトを構成する複数のＲＧＢのＬＥＤに対して、独立制御を可能とし、キーバックライトを単にキーの照明用途に使用するのではなく、新たな光の演出として商品性向上を図る。
【００１５】
本発明は、独立制御可能な複数の発光素子で構成されたキーバックライトを有する携帯電話機において、発信操作時の電話番号入力後に、開始キーのバックライトを点灯したり、他のキーとは異なった色を点灯することによって、発信操作時の操作性向上、およびキーバックライトの演出を向上することを特徴とする。
【００１６】
また、電話番号入力完了を認識するためのデータベースを持つ携帯電話機を特徴とする。発信操作時に最初の電話番号３桁入力後に前述データベースによって入力中の電話番号有効桁数を認識することが出来、電話番号の入力完了を認識することが出来る。
【００１７】
発信先の電話番号入力完了後に、開始キーのバックライトを点灯したり、他のキーとは異なった色で点灯する。
【００１８】
上記特徴を有する本発明を実施する実施の形態について以下、説明していく。
以下に記載する実施の形態は、本発明が有する課題を解決するにあたって好適もしくは最良な構成および処理である。しかし、これに限定されることはなく、この構成および処理は、当業者が容易に想到できる範囲内において修正、変更可能とする。
【００１９】
（第１の実施形態）
図１において、実施形態の一態様としてキーバックライトを有する携帯電話機を示す。ユーザインターフェイスとしてメインディスプレイ（１０１）とキー操作部（１０２）を有する構成である。
【００２０】
キー操作部（１０２）は、開始キー（１０３）を含む任意のキー（図示せず）で構成する。キー操作部（１０２）の下に複数のキーバックライト（１０４）を配置しキー操作部（１０２）を照らす。制御部（１０５）ではキーバックライト（１０４）の点灯制御とメインディスプレイ（１０１）の表示制御を行う。
【００２１】
携帯電話機とネットワークサーバ間のデータ通信を行う場所として無線通信部（１０６）を備える。また、電話番号の有効桁数を登録するデータベース（１０７）を備える。データベース（１０７）の情報テーブルの一例を図５に示す。この情報情報テーブルには、内線番号やＩＰ電話番号等の任意のデータをユーザ自身が追加登録することが出来る。
【００２２】
電話番号３桁が入力されると、制御部（１０５）は、データベース（１０７）を参照し、入力中の電話番号の有効桁数を認識することが出来る。制御部（１０５）は、有効桁数分の入力を認識すると開始キー（１０３）を照らすキーバックライトを点灯する。
【００２３】
図２において、キーバックライト（２０１）の構成を示す。
【００２４】
ライト（２０２）は３つ（Ｒ,Ｇ,Ｂ）の点灯素子（例えば、ＬＥＤ）で構成され、制御部（１０５）により各点灯素子（Ｒ,Ｇ,Ｂ）の輝度、点灯時間を制御することで任意の色を表示する。また、各々のライトは、独立に制御でき、制御部（１０５）により任意のパターンを表示する。
【００２５】
キーバックライトを構成するライトの実装位置と個数は、面積などの実装条件内で任意に配置する。本説明文では横３個×縦７個を配置した例を示す。
【００２６】
上述した構成を有する携帯電話機で行う処理について図３、および、図４を用いて説明する。
【００２７】
図３にキーバックライト点灯状態で有効桁数１１桁の電話番号を入力した時のキーバックライト点灯例を示す。
【００２８】
ここでの有効桁数１１桁の電話番号は、携帯電話番号［０９０−１２３４−５６７８］と刷る。任意の条件によってキーバックライト（１０４）が点灯した状態から、電話番号の入力を行う。
【００２９】
制御部（１０５）は、キー操作部（１０２）から入力された最初の３桁［０９０］を認識すると、データベース（１０７）を参照して、［０９０］で始まる電話番号は、１１桁の携帯電話番号であることを認識する（図４の１参照）。
【００３０】
続いて［１２３４−５６７８］が入力されると、制御部（１０５）は、１１桁の電話番号の入力が完了したことを認識して、［開始キー（１０３）］を照らすバックライトを、他のキーバックライトの色Ａとは異なる色Ｂで点灯する。
【００３１】
次に、図４にキーバックライト消灯状態で、有効桁数１０桁の電話番号を入力した時のキーバックライト点灯例を示す。
【００３２】
ここでの有効桁数１０桁の電話番号は、国内通話（固定電話）番号［０３−１２３４−５６７８］とする。キーバックライト（１０４）が消灯している状態から、電話番号の入力を行う。
【００３３】
制御部（１０５）は、キー操作部（１０２）から入力された最初の３桁［０３‐１］を認識すると、データベース（１０７）を参照して、［０３‐１］で始まる電話番号は、１０桁の国内通話番号であることを認識する（図５の５参照）。図６には、地域によって異なる市外局番、または境界を示す。
【００３４】
続いて［２３４−５６７８］が入力されると、制御部（１０５）は、１０桁の電話番号の入力が完了したことを認識して、［開始キー（１０３）］のバックライトのみを点灯させる。
【００３５】
また、電話番号について、国際電話番号に対応することも可能である。国際電話の場合、"国際プレフィックス番号［０１０］"を先頭に、［０１０ − "国番号" − "相手先の国内電話番号"］の電話番号構成となる。
【００３６】
"国番号"は、国や地域によって、１桁〜３桁で表現され、"国番号"によって電話番号の有効桁数が異なる。そのため、国際電話番号に対応する場合、データベース（１０７）に"国番号"まで情報を持つ。
【００３７】
図７に国際電話番号用のデータベース（１０７）の一例を示す。
【００３８】
アメリカ（国番号１）のニューヨーク（地域番号２１２）の［１２３−４５６７］の電話番号に、"国際プレフィックス番号［０１０］"と"国番号［１］"を加えた電話番号［０１０−１−２１２−１２３４−５６７］を入力する場合を説明する。
【００３９】
制御部（１０５）は、キー操作部（１０２）から入力された最初の３桁［０１０］を認識すると、データベース（１０７）を参照して、［０１０］で始まる電話番号は、国際電話であることを認識する（図５の６参照）。
【００４０】
続いて制御部（１０５）は、国番号［１］であることを認識し、国際電話番号用のデータベース（１０７）を参照し、１４桁の国際電話番号であることを認識する（図７の７参照）。
【００４１】
制御部（１０５）は、１４桁の電話番号の入力が完了したことを認識すると、［開始キー（１０３）］のバックライトのみを点灯させる。［開始キー（１０３）］のキーバックライトが既に点灯している場合は、他のキーとは異なった色で点灯させる。
【００４２】
本実施形態によれば、電話番号の入力が完了したタイミングで、キーバックライト（１０４）が消灯状態ならば［開始キー（１０３）］のみのバックライトが点灯し、キーバックライト（１０４）が点灯状態ならば、［開始キー（１０３）］のバックライトは、他のキーのバックライトとは異なる色で点灯することで、電話番号の入力が完了したことを知らせ、次に操作するキーがどれであるかが一目瞭然になるため、操作性が向上する。
【００４３】
また、このような特定の場面で、通常操作では見られない光の演出を表現することが出来るため、商品性向上にも効果を有する。
【００４４】
（第２の実施形態）
次に、第２の実施形態にかかる携帯電話機について説明する。
【００４５】
本実施形態における携帯電話機のＭＥＮＵ操作は、メインディスプレイ（１０１）に表示されたＭＥＮＵ項目の番号に対応したキーを押下するだけでＭＥＮＵ項目を選択して操作することが出来る。
【００４６】
メインディスプレイ（１０１）に表示されたＭＥＮＵ項目の文字色とキーバックライト（１０４）の発光色の紐付けすることで、ＭＥＮＵ操作の誤操作を防止する。
【００４７】
図８にメインディスプレイ（１０１）に表示されたＭＥＮＵ項目の文字色とキーバックライト（１０４）の発光色の紐付けしているイメージ図を示す。
【００４８】
ＭＥＮＵ項目［１］は、色Ａの文字色で表示し、このＭＥＮＵ項目に対応したキーのキーバックライト（１０４）は、同じ色Ａで発光する。ＭＥＮＵ項目［２］は、色Ｂの文字色で表示し、このＭＥＮＵ項目に対応したキーのキーバックライト（１０４）は、同じ色Ｂで発光する。
【００４９】
このようにＭＥＮＵ項目毎に文字色と、ＭＥＮＵ項目に対応したキーのキーバックライト（１０４）の発光色を一致させることにより、ＭＥＮＵ項目を選択するキーが一目瞭然になるため、操作性が向上する。また、色鮮やかなキーバックライトを演出することが出来る。
【００５０】
第１の実施形態および第２の実施形態にかかる携帯電話機において、キーバックライトを構成する複数のＲＧＢのＬＥＤを有し、前述のＲＧＢのＬＥＤがキーの真下、または近接した場所に実装され、前述の携帯電話機に搭載された機能において、キーに割り振られている各機能をＲＧＢのＬＥＤの複数の色を用いてユーザに通知する手段を有することも可能である。また、データベースに、登録された情報を元に、電話番号の有効桁数を通知する手段を有することも可能である。
【図面の簡単な説明】
【００５１】
【図１】キーバックライトを有する携帯電話機を示す図である。
【図２】キーバックライト（２０１）の構成を示す図である。
【図３】キーバックライト点灯状態で、有効桁数１１桁の電話番号を入力した時のキーバックライト点灯例を示す図である。
【図４】キーバックライト消灯状態で、有効桁数１０桁の電話番号を入力した時のキーバックライト点灯例を示す図である。
【図５】データベース（１０７）の情報テーブルの一例を示す図である。
【図６】地域によって異なる市外局番、または境界を示す図である。
【図７】国際電話番号用のデータベース（１０７）の一例を示す図である。
【図８】メインディスプレイ（１０１）に表示されたＭＥＮＵ項目の文字色とキーバックライト（１０４）の発光色の紐付けしているイメージ図を示す図である。
【符号の説明】
【００５２】
１０１    インディスプレイ
１０２    キー操作部
１０３    開始キー
１０４    キーバックライト
１０５    制御部
１０７    データベース
２０１    キーバックライト
２０２    ライト
【図１】
2010050823.tif 000003
【図２】
2010050823.tif 000004
【図３】
2010050823.tif 000005
【図４】
2010050823.tif 000006
【図５】
2010050823.tif 000007
【図６】
2010050823.tif 000008
【図７】
2010050823.tif 000009
【図８】
2010050823.tif 000010